(57)【要約】【課題】撮影された複数の画像データの日付情報をメモリカセットのメモリへ自動的に記録し、その日付情報が一覧表示され、さらに一覧表示された日付情報を選択することで所望の画像データはサーチ後、再生される。【解決手段】メインマイコン３は、メカマイコン２および表示マイコン４を制御し、メカマイコン２によって、メモリカセット１から日付情報とその日付情報に対応したトラック番号などが取り出される。取り出された日付情報は、表示ＩＣ５を介してモニター６に表示される。そのモニター６に基づいてユーザがリモコン７を用いて、所望の画像データに対応する日付情報を選択する。そして、メカマイコン２では、その日付情報に応じたトラック番号までメモリカセット１の走行制御がなされ、所望の画像データは、モニター６に再生表示される。【選択図】図１
2004281045.tif 000002
【特許請求の範囲】
【請求項１】
記録媒体に記録された複数の画像情報にそれぞれ関連した関連情報を記録媒体から読み出す読み出し手段と、
上記読み出し手段により読み出された上記関連情報を表示する表示手段と、
上記表示手段への表示に基づいて上記関連情報の中から所望のものが選択されたことを検出する検出手段と、
上記検出手段の検出に基づき、選択された上記関連情報に対応する上記画像情報を上記記録媒体から検索する検索手段とを備える画像検索装置において、
上記検索手段により検索が行われた画像情報に対応する上記関連情報を保持し、上記表示手段が、次回上記関連情報を表示する際、当該保持された関連情報を他の関連情報と判別可能に表示することを特徴とする画像検索装置。
【請求項２】
上記表示手段は、上記関連情報とともに、現在指示されている関連情報を表す指示情報を表示するものとし、上記関連情報を初めに表示する際、保持された上記関連情報の位置に上記指示情報を表示することを特徴とする請求項１に記載の画像検索装置。
【請求項３】
上記表示手段は、上記関連情報とともに、現在指示されている関連情報を表す第１の指示情報と、保持された関連情報を表す第２の指示情報とを表示することを特徴とする請求項１に記載の画像検索装置。
【請求項４】
記録媒体に記録された複数の画像情報にそれぞれ関連した関連情報を記録媒体から読み出す読み出しステップと、
上記読み出しステップにて読み出された上記関連情報を表示する表示ステップと、
上記表示ステップの表示に基づいて上記関連情報の中から所望のものが選択されたことを検出する検出ステップと、
上記検出ステップの検出結果に基づき、選択された上記関連情報に対応する上記画像情報を上記記録媒体から検索する検索ステップとを備える画像検索方法において、
上記検索ステップにて検索が行われた画像情報に対応する上記関連情報を保持し、次回の上記表示ステップにて、上記関連情報を表示する際、当該保持された関連情報を他の関連情報と判別可能に表示することを特徴とする画像検索方法。
【請求項５】
記録媒体に記録された複数の画像情報にそれぞれ関連した関連情報を記録媒体から読み出す読み出し手段と、
上記読み出し手段により読み出された上記関連情報を表示する表示手段と、
上記関連情報を上記表示手段上に視覚化するための関連情報表示子と、
上記関連情報表示子の表示に基づいて上記関連情報の中から所望のものを選択する選択操作手段と、
上記選択操作手段の操作に基づいて上記関連情報の中から所望のものが選択されたことを検出する検出手段と、
上記検出手段の検出に基づき、選択された上記関連情報に対応する上記画像情報を上記記録媒体から検索する検索手段とを備える画像検索装置のグラフィカルユーザインタフェースにおいて、
上記検索手段により検索が行われた画像情報に対応する上記関連情報を保持し、次回上記関連情報表示子を上記表示手段上に表示する際、当該保持された関連情報を他の関連情報と判別可能に上記表示手段上に視覚化するための判別表示子を上記関連情報表示子とともに表示することを特徴とする画像検索装置のグラフィカルユーザインタフェース。
【発明の詳細な説明】
【技術分野】
【０００１】
この発明は、例えば磁気テープに記録された画像データの検索を行うための画像検索装置および方法、並びに画像検索装置のグラフィカルユーザインタフェースに関する。
【背景技術】
【０００２】
磁気テープには、ＶＴＲ一体型のビデオカメラを用いて様々な画像データが撮影される。この磁気テープに撮影された画像データの中から所望の画像データを再生する１つの手法として、インデックスサーチ機能が知られている。このインデックスサーチ機能を使用して所望の画像データに対応するインデックス（すなわち、相対アドレス）が直ちに検索され、その画像データは再生される。
【発明の開示】
【発明が解決しようとする課題】
【０００３】
しかしながら、このインデックスは、磁気テープの再生時に、ユーザが打ち込まなければならず、また磁気テープに打ち込まれているインデックスを一覧表示することはできなかった。さらに、録画された日付を一覧表示させることもできなかった。
【０００４】
従って、この発明の目的は、撮影された複数の画像データの日付情報を記録媒体へ自動的に記録し、その日付情報が一覧表示され、さらに一覧表示された日付情報を選択することで所望の画像データはサーチ後、再生するようにした画像検索装置および方法、並びに画像検索装置のグラフィカルユーザインタフェースを提供することにある。
【課題を解決するための手段】
【０００５】
上述した課題を達成するために、この発明は、記録媒体に記録された複数の画像情報にそれぞれ関連した関連情報を記録媒体から読み出す読み出し手段と、読み出し手段により読み出された関連情報を表示する表示手段と、表示手段への表示に基づいて関連情報の中から所望のものが選択されたことを検出する検出手段と、検出手段の検出に基づき、選択された関連情報に対応する画像情報を記録媒体から検索する検索手段とを備える画像検索装置において、検索手段により検索が行われた画像情報に対応する関連情報を保持し、表示手段が、次回関連情報を表示する際、当該保持された関連情報を他の関連情報と判別可能に表示することを特徴とする画像検索装置である。
【０００６】
また、この発明は、記録媒体に記録された複数の画像情報にそれぞれ関連した関連情報を記録媒体から読み出す読み出しステップと、読み出しステップにて読み出された関連情報を表示する表示ステップと、表示ステップの表示に基づいて関連情報の中から所望のものが選択されたことを検出する検出ステップと、検出ステップの検出結果に基づき、選択された関連情報に対応する画像情報を記録媒体から検索する検索ステップとを備える画像検索方法において、検索ステップにて検索が行われた画像情報に対応する関連情報を保持し、次回の表示ステップにて、関連情報を表示する際、当該保持された関連情報を他の関連情報と判別可能に表示することを特徴とする画像検索方法である。
【０００７】
さらに、この発明は、記録媒体に記録された複数の画像情報にそれぞれ関連した関連情報を記録媒体から読み出す読み出し手段と、読み出し手段により読み出された関連情報を表示する表示手段と、関連情報を表示手段上に視覚化するための関連情報表示子と、関連情報表示子の表示に基づいて関連情報の中から所望のものを選択する選択操作手段と、選択操作手段の操作に基づいて関連情報の中から所望のものが選択されたことを検出する検出手段と、検出手段の検出に基づき、選択された関連情報に対応する画像情報を記録媒体から検索する検索手段とを備える画像検索装置のグラフィカルユーザインタフェースにおいて、検索手段により検索が行われた画像情報に対応する関連情報を保持し、次回関連情報表示子を表示手段上に表示する際、当該保持された関連情報を他の関連情報と判別可能に表示手段上に視覚化するための判別表示子を関連情報表示子とともに表示することを特徴とする画像検索装置のグラフィカルユーザインタフェースである。
【０００８】
この発明では、表示マイコン（マイクロコンピュータ）４に表示された複数の関連情報（日付情報、または日付情報と時刻）から所望の関連情報が選択され、選択された関連情報に対応するアドレスをメカマイコン２へ供給し、メカマイコン２では、供給されたアドレスから画像データの頭出しを行うことができる。
【発明の効果】
【０００９】
この発明に依れば、画像データの撮影時に関連情報（日付情報、または日付情報と時刻）を記録媒体に記録することができ、さらにその関連情報をモニター上に表示することができる。また、モニター上に表示された関連情報を選択し、その関連情報と対応する画像データのアドレスによるサーチが行われ、モニターに再生表示することができる。
【発明を実施するための最良の形態】
【００１０】
以下、この発明の一実施例について図面を参照して説明する。この一実施例では、ＶＴＲ一体型ビデオカメラを用いて、撮影画像をディジタル化し、ディジタル信号処理を経てメモリ機能付きカセット（以下、メモリカセットと称する）の磁気テープへ画像データが記録される。このとき、画像データを記録するか、静止画（スチル）を記録するかが撮影時において選択され、画像データを記録する場合、その撮影時に項目、例えば日付情報（撮影年月日）が記録され、静止画を記録する場合、その記録時に日付情報として撮影年月日と時刻が記録される。この場合、後からそれぞれの日付情報にタイトルを打ち込むことも可能である。
【００１１】
撮影された画像データがメモリカセットの磁気テープへ記録されるとき、日付情報と、その画像データが記録される領域の最初のトラック番号（すなわち、絶対アドレス）などをメモリカセットのメモリへ自動的に記録する。この日付情報として記録される日付は、その日の最初に記録された画像データにのみ記録される。この画像データをサーチする場合、少なくとも日付情報によって画像データをサーチ（以下、日付サーチと称する）し、静止画をサーチする場合、少なくとも日付情報と時刻によって静止画をサーチ（以下、フォトサーチと称する）する。この日付サーチのためのデータテーブルと、フォトサーチのためのデータテーブルは、それぞれ別々に持っている。以下の説明には、このように複数の画像データと関連情報が予め記録されたメモリカセットを用いる。
【００１２】
ここで、日付サーチを行うための概略的構成を図１に示す。ここで、メインマイコン３は、このシステム全体を制御する。すなわち、この図１においては、メインマイコン３は、メカマイコン２および表示マイコン４などを制御する。メカマイコン２は、システムの機構部分の制御を行い、表示マイコン４は、表示ＩＣ５を用いてモニター６の表示を制御する。
【００１３】
１で示すメモリカセットは、ユーザによって、ＶＴＲ一体型ビデオカメラ本体に装着される。このカセット装着時にメインマイコン３によって、メモリカセット１から複数の画像データの日付情報およびトラック番号が読み出される。読み出された複数の日付情報およびトラック番号は、メインマイコン３へ供給され、そのメモリ内に読み込まれる。メインマイコン３は、読み込んだ日付情報を表示マイコン４へ供給する。表示マイコン４では、供給された日付情報から表示制御信号が生成され、その表示制御信号および日付情報が表示ＩＣ５へ供給される。表示ＩＣ５では、供給された表示制御信号に基づいて、日付情報がモニター６に一覧表示される制御がなされる。
【００１４】
モニター６に表示された日付情報には、所定の位置にカーソルが表示され、そのカーソルによってサーチしたい画像データと対応する日付情報が選択される。ユーザは、モニター６を見ながら、リモコン７を用いてカーソルを所望の日付情報へ移動させる。このとき、リモコン７からの命令は、メインマイコン３を介して表示マイコン４へ供給される。表示マイコン４では、供給された命令に応じて、表示制御信号が表示ＩＣ５へ供給され、モニター６のカーソルの位置が変更される。
【００１５】
そして、カーソルによって、所望の日付情報が選択されたと、表示マイコン４が判断すると、選択された日付情報に対応するサーチ情報がメインマイコン３へ供給される。メインマイコン３では、サーチ情報に対応したトラック番号がメインマイコン３からメカマイコン２へ供給される。メカマイコン２では、供給されたトラック番号に相当する位置まで、早送り／巻戻しなどの走行制御がなされ、選択された日付情報に対応する画像データの頭出しがなされる。そして、この画像データがメモリカセット１から再生され、モニター６に出力される。モニター６の表示は、日付情報から選択された画像に自動的に切り換わる。
【００１６】
ここで、この発明の一実施例における動作についてモニター６の画面表示の遷移（図２）を使用して説明する。この図２は、メモリカセット１を装着した後、または記録後の何れかにおいて、まだサーチを一度も行っていない画面表示の遷移を示す。なお、この説明では、日付サーチを行うときの画面遷移を示すが、フォトサーチを行うときの画面遷移も同様な手順で行われる。
【００１７】
上述したように日付サーチを行う場合、モニター６に表示された日付の中から、所望の画像データに対応する日付を選択することで画像データがサーチされ、サーチされた画像データが再生される。フォトサーチを行う場合、モニター６に表示された日付・時刻の中から、所望の静止画に対応する日付・時刻を選択することで静止画がサーチされ、サーチされた静止画が表示される。この一例では、リモコン７を用いて日付情報を選択するため、使用される〔サーチ選択〕キー、〔Ｆｗｄサーチ〕キーおよび〔Ｒｖｓサーチ〕キーは、リモコン７に設けられている。
【００１８】
ノーマル画面が表示されているときに、〔サーチ選択〕キーが押されると、画像データをサーチするため、日付サーチが行われる状態に移り、日付情報が一覧表示された画面表示に切り換わる。画像データを選択するときに、〔Ｆｗｄサーチ〕キーが押されると、画像データに対応する日付情報の番号を‘＋１'（インクリメント）し、カーソルが移動する。画像データを選択するときに、〔Ｒｖｓサーチ〕キーが押されると、日付情報の番号を‘−１'（デクリメント）し、カーソルが移動する。このカーソルは、この例では、文字を反転表示させているが、ブリンク（点滅）または反転ブリンクによって表示させても良い。
【００１９】
通常、モニター６は、図２Ａに示すようにノーマル画面を表示している。このノーマル画面は、項目表示がされていない状態の画面を意味し、例えばメモリカセット１から再生される画像データを表示している画面である。この状態から〔サーチ選択〕キーを押すと、図２Ｂに示す、日付サーチ画面がモニター６に表示される。この日付サーチ画面は、メモリカセット１の日付情報が日付順にモニター６に表示される。そして、何れのキーも押さずに、そのまま放置しているとモニター６の画面は、ノーマル画面（図２Ａ）を表示する状態に戻る。
【００２０】
〔サーチ選択〕キーが押され、モニター６にノーマル画面（図２Ａ）、または日付サーチ画面（図２Ｂ）の何れか一方が表示されているとき、〔Ｆｗｄサーチ〕キーまたは〔Ｒｖｓサーチ〕キーが押されると、図２Ｃに示す画面に移る。すなわち、〔Ｆｗｄサーチ〕キーまたは〔Ｒｖｓサーチ〕キーが押されると日付サーチ画面のカーソルの移動が行われるため、ノーマル画面（図２Ａ）の状態においても〔Ｆｗｄサーチ〕キーまたは〔Ｒｖｓサーチ〕キーが押されることで日付サーチ画面でのカーソルが移動するため、図２Ｃに示す日付サーチ画面の状態に移る。また、この図２の例は、サーチを一度も行っていない状態のため、〔Ｆｗｄサーチ〕キーまたは〔Ｒｖｓサーチ〕キーが押された場合、必ず第１番目にカーソルが表示される。
【００２１】
この図２Ｃに示す日付サーチ画面の状態は、図２Ｂの状態から日付サーチ画面上の第１番目の日付情報にカーソルが表示され、カーソルが示す日付情報に対する画像データを選択するか否か、ユーザの判断を待つ状態である。ここで、カーソルが示す第１番目の日付情報を選択する場合、カーソルを同じ位置で数秒程度静止させることで、そのカーソルが示す日付情報の画像データが選択されたと判断する。そして、その日付情報と対応するトラック番号に記録された画像データのサーチ（位置検出）が行われる。画像データのサーチが終了すると、サーチされた画像データが再生され、図２Ｅに示すように再生された画像データがモニター６に再生表示される。
【００２２】
また、図２Ｃに示す日付情報に対応する画像データと異なる画像データを選択する場合には、〔Ｆｗｄサーチ〕キーがおされる。それによって、第２番目の日付情報にカーソルが移り（図２Ｄ）、この第２番目の日付情報の画像データを選択するか否か、ユーザの判断を待つ状態である。すなわち、図２Ｃと同じ状態である。このように、〔Ｆｗｄサーチ〕キーまたは〔Ｒｖｓサーチ〕キーを押し、所望の画像データと対応する日付情報が選択され、選択された画像データのサーチを行うことができる。
【００２３】
日付サーチの代わりにフォトサーチを行うことも可能であり、日付サーチと同様の画面遷移によって、サーチが行われる。この実施例では、撮影時に７秒間、静止画（スチル）を磁気テープ上に記録するフォトモードが可能とされている。このフォトモードにおいては、撮影年月日および時刻がカセットのメモリに自動的に書き込まれる。フォトモードで撮影されたメモリカセットをサーチするフォトサーチでは、日付サーチと同様に〔Ｆｗｄサーチ〕キーおよび〔Ｒｖｓサーチ〕キーにより所望の静止画をサーチすることができる。サーチした静止画がモニター６に継続的に表示される。そして、表示される静止画を切り換える場合には、再生指示となるボタンが操作され、それによって、メモリカセットのテープの送りが開始するフォトモードが可能とされている。
【００２４】
次に、少なくとも一度は、サーチを行ったことがある場合の画面表示の遷移の一例を図３に示す。〔サーチ選択〕キーが押されると、図３Ａに示すノーマル画面から図３Ｂに示す日付サーチ画面に移る。この日付サーチ画面（図３Ｂ）は、何れのキーも押さずに、そのまま放置していると、モニター６の画面は、ノーマル画面（図３Ａ）に戻る。このノーマル画面は、例えば図２Ａに示すノーマル画面と同様で、項目表示がされていない状態の画面を意味し、例えばメモリカセット１から再生される画像データを表示している画面である。
【００２５】
そして、図３Ｂの日付サーチ画面は、以前に第３番目をサーチしたことを示す、ショートカーソルが表示されている。図３Ｂの日付サーチ画面の状態から〔Ｆｗｄサーチ〕キーを押すと、カーソルが第４番目に表示され（図３Ｅ）、〔Ｒｖｓサーチ〕キーを押すと、カーソルが第３番目に表示される（図３Ｃ）。また、ノーマル画面（図３Ａ）の状態から〔Ｆｗｄサーチ〕キーを押すと、カーソルは第４番目に表示され（図３Ｅ）、ノーマル画面（図３Ａ）の状態から〔Ｒｖｓサーチ〕キーを押すと、カーソルは第３番目に表示される。さらに、図３Ｃに示す日付サーチ画面の状態において、〔Ｒｖｓサーチ〕キーを押すと、カーソルは第２番目に表示される（図３Ｄ）。
【００２６】
この図３Ｃ、図３Ｄおよび図３Ｅの日付サーチ画面の状態のとき、それぞれのカーソルが示している日付情報に対応する画像データを選択する場合、カーソルを同じ位置で数秒程度静止させることで、そのカーソルが示す日付情報（すなわち、画像データ）が選択されたと判断し、その日付情報と対応するトラック番号のサーチが行われる。画像データのサーチが終了すると、選択された画像データが再生され、図３Ｆに示すように選択された画像データがモニター６に再生表示される。
【００２７】
このように、一度サーチを行った場合、前回サーチを行った画像データに対応する日付情報を保持し、〔サーチ選択〕キーが押された場合、前回サーチを行った画像データの番号にショートカーソルを表示させる。このショートカーソルの表示によって、前回の画像データの番号を知ることができ、次にサーチを行う画像データの参考とすることができる。
【００２８】
ここで、日付サーチ／フォトサーチを切り換える画面表示の遷移の一例を図４に示す。図４Ａに示すノーマル画面は、上述したノーマル画面と同様であり、〔サーチ選択〕キー、〔Ｆｗｄサーチ〕キーまたは〔Ｒｖｓサーチ〕キーが押されると、日付サーチ画面（図４Ｂ）の状態へ移る。その日付サーチ画面（図４Ｂ）の状態において、そのまま放置した場合、または〔Ｆｗｄサーチ〕キーおよび〔Ｒｖｓサーチ〕キーにより日付サーチ画面において、画像データを選択した場合、モニター６は、ノーマル画面（図４Ａ）に戻る。
【００２９】
図４Ｂに示す日付サーチ画面の状態で、〔サーチ選択〕キーが押された場合、図４Ｃに示すフォトサーチ画面の状態に移る。そのフォトサーチ画面（図４Ｃ）の状態において、そのまま放置した場合、または〔Ｆｗｄサーチ〕キーおよび〔Ｒｖｓサーチ〕キーによりフォトサーチ画面（図４Ｃ）において、画像データを選択した場合、モニター６には、ノーマル画面（図４Ｄ）が表示される。また、フォトサーチ画面（図４Ｃ）の状態から〔サーチ選択〕キーが押された場合、図４Ａに示すノーマル画面の状態に移る。
【００３０】
図４Ｄに示すノーマル画面の状態、すなわち前回、フォトサーチ画面から遷移したノーマル画面の状態において、〔サーチ選択〕キー、〔Ｆｗｄサーチ〕キーまたは〔Ｒｖｓサーチ〕キーが押されると、フォトサーチ画面（図４Ｅ）の状態へ移る。そのフォトサーチ画面（図４Ｅ）の状態において、そのまま放置した場合、または〔Ｆｗｄサーチ〕キーおよび〔Ｒｖｓサーチ〕キーによりフォトサーチ画面（図４Ｅ）において、画像データを選択した場合、モニター６には、ノーマル画面（図４Ｄ）が表示される。
【００３１】
図４Ｅに示すフォトサーチ画面の状態で、〔サーチ選択〕キーが押された場合、図４Ｆに示す日付サーチ画面の状態に移る。その日付サーチ画面（図４Ｆ）の状態において、そのまま放置した場合、または〔Ｆｗｄサーチ〕キーおよび〔Ｒｖｓサーチ〕キーにより日付サーチ画面（図４Ｆ）において、画像データが選択された場合、モニター６には、ノーマル画面（図４Ａ）が表示される。また、フォトサーチ画面（図４Ｆ）の状態から〔サーチ選択〕キーが押された場合、図４Ｄに示すノーマル画面の状態に移る。
【００３２】
すなわち、この図４Ａに示すノーマル画面は、図２に示した初期状態の場合、および前回日付サーチ画面において、画像データをサーチした場合の何れか一方のノーマル画面であり、図４Ｄに示すノーマル画面は、前回フォトサーチ画面において、画像データをサーチした場合のノーマル画面である。
【００３３】
ここで、操作キーによる状態遷移の一例を図５に示す。まず、図５Ａに示すノーマル画面の状態から〔サーチ選択〕キーが押されると、日付サーチ画面（図５Ｂ）が表示され、日付サーチの状態へ移る。図５Ｂに示す日付サーチ画面は、ショートカーソルが第１３番目に位置している。すなわち、前回日付サーチによって、第１３番目の日付情報に対応する画像データがサーチされたことを示している。その日付サーチ画面（図５Ｂ）の状態から〔サーチ選択〕キーが押されると、フォトサーチ画面（図５Ｅ）に移り、フォトサーチ画面（図５Ｅ）の状態から〔サーチ選択〕キーが押されると、ノーマル画面（図５Ａ）に移る。
【００３４】
すなわち、〔サーチ選択〕キーが押されると、ノーマル画面、日付サーチ画面およびフォトサーチ画面と状態が遷移する。また、上述したようにフォトサーチ画面には、日付と時刻が表示されるが、図５中では、図面を容易とするためフォトサーチ画面中から時刻の表示を取り除いている。
【００３５】
そして、日付サーチ画面（図５Ｂ）が表示されているとき、〔Ｆｗｄサーチ〕キーが押されると、日付サーチ画面の第１４番目にカーソルが表示され（図５Ｃ）、さらに〔Ｆｗｄサーチ〕キーを何度か押すことで所望の画像データに対応する日付情報の位置にカーソルを移し、所望の画像データが選択される。同様に、日付サーチ画面（図５Ｂ）が表示されているとき、〔Ｒｖｓサーチ〕キーが押されると、日付サーチ画面の第１３番目にカーソルが表示され（図５Ｄ）、さらに〔Ｒｖｓサーチ〕キーを何度か押すことで所望の画像データに対応する日付情報の位置にカーソルを移し、所望の画像データが選択される。
【００３６】
また、ノーマル画面（図５Ａ）の状態から〔Ｆｗｄサーチ〕キーが押されると、図５Ｃに示す日付サーチ画面の状態に移り、ノーマル画面（図５Ａ）の状態から〔Ｒｖｓサーチ〕キーが押されると、図５Ｄに示す日付サーチ画面の状態に移る。
【００３７】
そして、フォトサーチ画面（図５Ｅ）が表示されているとき、〔Ｆｗｄサーチ〕キーが押されると、フォトサーチ画面の第１４番目にカーソルが表示され（図５Ｆ）、さらに〔Ｆｗｄサーチ〕キーを何度か押すことで所望の画像データに対応する日付情報の位置にカーソルを移し、所望の画像データが選択される。同様に、フォトサーチ画面（図５Ｅ）が表示されているとき、〔Ｒｖｓサーチ〕キーが押されると、フォトサーチ画面の第１３番目にカーソルが表示され（図５Ｇ）、さらに〔Ｒｖｓサーチ〕キーを何度か押すことで所望の画像データに対応する日付情報の位置にカーソルを移し、所望の画像データが選択される。
【００３８】
また前回、フォトサーチ画面によって、画像データが選択された後、ノーマル画面（図５Ａ）が表示されている場合、〔サーチ選択〕キーが押されると、フォトサーチ画面（図５Ｅ）が表示される。そして、そのフォトサーチ画面（図５Ｅ）の状態から〔サーチ選択〕キーが押されると、日付サーチ画面（図５Ｂ）が表示され、その日付サーチ画面（図５Ｂ）の状態から〔サーチ選択〕キーが押されると、ノーマル画面（図５Ａ）が表示される。
【００３９】
さらに、ノーマル画面（図５Ａ）の状態から〔Ｆｗｄサーチ〕キーが押されると、図５Ｆに示すフォトサーチ画面の状態へ移り、ノーマル画面（図５Ａ）の状態から〔Ｒｖｓサーチ〕キーが押されると、図５Ｇに示すフォトサーチ画面の状態へ移る。
【００４０】
この実施例で使用されているモニター６は、通常のＣＲＴモニターを用いても良いが、ビューファインダーを用いることも可能である。さらに、ＯＳＤ（オンスクリーンディスプレイ）を使用することもできる。
【００４１】
この実施例は使用された〔Ｆｗｄサーチ〕キーおよび〔Ｒｖｓサーチ〕キーは、従来からのインデックスキーを用いて機能を兼用することも可能である。
【００４２】
この発明は、上述したこの発明の一実施形態等に限定されるものではなく、この発明の要旨を逸脱しない範囲内で様々な変形や応用が可能である。
【図面の簡単な説明】
【００４３】
【図１】この発明の磁気記録情報表示装置の一実施形態のブロック図である。
【図２】この発明に係る日付サーチの動作の説明に用いる一例の略線図である。
【図３】この発明に係る日付サーチの動作の説明に用いる一例の略線図である。
【図４】この発明に係る日付サーチとフォトサーチの説明に用いる一例の略線図である。
【図５】この発明に係る日付サーチとフォトサーチの説明に用いる一例の略線図である。
【符号の説明】
【００４４】
１    メモリカセット
２    メカマイコン
３    メインマイコン
４    表示マイコン
５    表示ＩＣ
６    モニター
７    リモコン
【図１】
2004281045.tif 000003
【図２】
2004281045.tif 000004
【図３】
2004281045.tif 000005
【図４】
2004281045.tif 000006
【図５】
2004281045.tif 000007